【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
下記一般式（１）
【化１】
2004035627.tif 000001
（式中、Ｒ１、Ｒ２は炭素数１〜３０の分岐していてもよいアルキル基、もしくはアルコキシ基、炭素数２〜３０のアルカノイルオキシ基、アルコキシカルボニル基、アルコキシアルキル基、もしくはアルコキシアルコキシ基、または炭素数３〜３０のアルコキシアルカノイルオキシ基を表わし、Ｘは−ＣＯＯ−または−ＯＣＯ−を表わし、
【化２】
2004035627.tif 000002
は、
【化３】
2004035627.tif 000003
または
【化４】
2004035627.tif 000004
（トランス−１，４−シクロヘキシレン基）を表す。）
で表されるビピリジル化合物を配位子とする光学活性有機金属錯体からなるカイラルドーパント。
【請求項２】
光学活性有機金属錯体が、下記一般式（２）
【化５】
2004035627.tif 000005
（式中、Ｒ１、Ｒ２、Ｘは上記と同様であり、Ｍは遷移金属を示し、Ｌ１、Ｌ２は各々独立に、またはＬ１とＬ２が一体となって配位子を表わす。）
で表される光学活性有機金属錯体であることを特徴とする請求項１に記載のカイラルドーパント。
【請求項３】
前記一般式（２）において、配位子Ｌ１とＬ２が、２，４−ペンタンジオン、アセチルアセトナト、ジメチルグリオキシム、ジメチルグリオキシマト（１−）イオン、ジメチルグリオキシマト（２−）イオン、シュウ酸、ピリジン、２，２’−ビピリジン、１，１０−フェナントロリン、１，２−プロパンジアミン、１，３−プロパンジアミン、ジエチレントリアミン、エチレンジアミン、エチレンジアミン四酢酸、エチレンジアミン四酢酸イオン、グリシナト、シアノ基含有化合物、チオシアナトＳ配位化合物、イソチオシアナトＮ配位化合物、エチレンジアミンテトラアセタト、マレオニトリルジチオラナト、ニトリロトリアセタナト、オキサラト、１，４，８，１１−テトラアザシクロテトラデカン、トリス（２−アミノエチル）アミン及びそれらの誘導体からなる群より選ばれる化合物であることを特徴とする請求項２に記載のカイラルドーパント。
【請求項４】
前記一般式（２）において、配位子Ｌ１とＬ２が、アセチルアセトナトであることを特徴とする請求項２に記載のカイラルドーパント。
【請求項５】
前記一般式（２）において、遷移金属ＭがＦｅ、Ｃｏ、Ｎｉ、Ｒｕ、Ｒｈ、Ｐｄ、Ｏｓ、Ｉｒ及びＰｔからなる群より選ばれる１種以上であることを特徴とする請求項２ないし４のいずれかに記載のカイラルドーパント。
【請求項６】
前記一般式（２）において、遷移金属ＭがＲｕまたはＯｓである請求項２ないし４のいずれかに記載のカイラルドーパント。
【請求項７】
液晶性ビピリジル化合物を配位子とする光学活性有機金属錯体をカイラルドーパントとして含有することを特徴とする液晶組成物。
【請求項８】
液晶物質を含有してなる請求項７に記載の液晶組成物。
【請求項９】
ビピリジル化合物が下記一般式（１）
【化６】
2004035627.tif 000006
（式中、Ｒ１、Ｒ２は炭素数１〜３０の分岐していてもよいアルキル基、もしくはアルコキシ基、炭素数２〜３０のアルカノイルオキシ基、アルコキシカルボニル基、アルコキシアルキル基、もしくはアルコキシアルコキシ基、または炭素数３〜３０のアルコキシアルカノイルオキシ基を表わし、Ｘは−ＣＯＯ−または−ＯＣＯ−を表わし、
【化７】
2004035627.tif 000007
は、
【化８】
2004035627.tif 000008
または
【化９】
2004035627.tif 000009
（トランス−１，４−シクロヘキシレン基）を表す。）
で表される化合物であることを特徴とする請求項７または８に記載の液晶組成物。
【請求項１０】
光学活性有機金属錯体が、下記一般式（２）
【化１０】
2004035627.tif 000010
（式中、Ｒ１、Ｒ２、Ｘは上記と同様であり、Ｍは遷移金属を示し、Ｌ１、Ｌ２は各々独立に、またはＬ１とＬ２が一体となって配位子を表わす。）
で表される化合物である請求項７ないし９のいずれかに記載の液晶組成物。
【請求項１１】
前記一般式（２）において、配位子Ｌ１とＬ２が、２，４−ペンタンジオン、アセチルアセトナト、ジメチルグリオキシム、ジメチルグリオキシマト（１−）イオン、ジメチルグリオキシマト（２−）イオン、シュウ酸、ピリジン、２，２’−ビピリジン、１，１０−フェナントロリン、１，２−プロパンジアミン、１，３−プロパンジアミン、ジエチレントリアミン、エチレンジアミン、エチレンジアミン四酢酸、エチレンジアミン四酢酸イオン、グリシナト、シアノ基含有化合物、チオシアナトＳ配位化合物、イソチオシアナトＮ配位化合物、エチレンジアミンテトラアセタト、マレオニトリルジチオラナト、ニトリロトリアセタナト、オキサラト、１，４，８，１１−テトラアザシクロテトラデカン、トリス（２−アミノエチル）アミン及びそれらの誘導体からなる群より選ばれる化合物であることを特徴とする請求項１０に記載の液晶組成物。
【請求項１２】
前記一般式（２）において、配位子Ｌ１とＬ２が、アセチルアセトナト（ａｃａｃ）であることを特徴とする請求項１０に記載の液晶組成物。
【請求項１３】
前記一般式（２）において、遷移金属Ｍが、Ｆｅ、Ｃｏ、Ｎｉ、Ｒｕ、Ｒｈ、Ｐｄ、Ｏｓ、Ｉｒ及びＰｔからなる群より選ばれる１種以上であることを特徴とする請求項１０ないし１２のいずれかに記載の液晶組成物。
【請求項１４】
前記一般式（２）において、遷移金属がＲｕまたはＯｓである請求項１０ないし１２のいずれかに記載の液晶組成物。
【請求項１５】
液晶物質が、ネマティックまたはスメクチック液晶を有する化合物であることを特徴とする請求項８ないし１４のいずれかに記載の液晶組成物。
【請求項１６】
カイラルネマチック相を誘起することを特徴とする請求項７ないし１５のいずれかに記載の液晶組成物。
【請求項１７】
カイラルスメクチックＣ相を誘起することを特徴とする請求項７ないし１５のいずれかに記載の液晶組成物。
【請求項１８】
光学活性有機金属錯体を０．１〜２０質量％含有すること特徴とする請求項７ないし１７のいずれかに記載の液晶組成物。
【請求項１９】
光学活性有機金属錯体化合物のらせんねじり力（Ｈ．Ｔ．Ｐ．：Ｈｅｒｉｃａｌ  Ｔｗｉｓｔｉｎｇ  Ｐｏｗｅｒ）が、１０（１００・μｍ−１・質量％−１）以上である請求項７ないし１８のいずれかに記載の液晶組成物。
【請求項２０】
らせんピッチが４μｍ以下であることを特徴とする請求項７ないし１９のいずれかに記載の液晶組成物。
【請求項２１】
請求項７ないし２０のいずれかに記載の液晶組成物を使用してなる液晶素子。
【請求項２２】
請求項２１に記載の液晶素子を使用してなる液晶表示素子。
【請求項２３】
請求項２１に記載の液晶素子を使用してなるセンシング素子。
【請求項２４】
請求項２１に記載の液晶素子を使用してなる液晶シャッター。
【請求項２５】
請求項７ないし２０のいずれかに記載の液晶組成物を使用してなることを特徴とする一次元周期フォトニック結晶。
【請求項２６】
らせんピッチが１μｍ以下である請求項２５に記載の一次元周期フォトニック結晶。
【請求項２７】
請求項２５または２６に記載の一次元周期フォトニック結晶を使用してなる低閾レーザー発振素子。
【請求項２８】
下記一般式（２）
【化１１】
2004035627.tif 000011
（式中、Ｒ１、Ｒ２は炭素数１〜３０の分岐していてもよいアルキル基、もしくはアルコキシ基、炭素数２〜３０のアルカノイルオキシ基、アルコキシカルボニル基、アルコキシアルキル基、もしくはアルコキシアルコキシ基、または炭素数３〜３０のアルコキシアルカノイルオキシ基を表わし、Ｘは−ＣＯＯ−または−ＯＣＯ−を表わし、
【化１２】
2004035627.tif 000012
は、
【化１３】
2004035627.tif 000013
または
【化１４】
2004035627.tif 000014
（トランス−１，４−シクロヘキシレン基）を表す。Ｍは遷移金属を示し、Ｌ１、Ｌ２は各々独立に、またはＬ１とＬ２が一体となって配位子を表わす。）
で表される液晶性ビピリジル化合物において、配位子Ｌ１とＬ２が、アセチルアセトナトであり、遷移金属ＭがＲｕであることを特徴とする光学活性有機金属錯体。
【手続補正２】
【補正対象書類名】明細書
【補正対象項目名】００２９
【補正方法】変更
【補正の内容】
【００２９】
[４]前記一般式（２）において、配位子Ｌ１とＬ２が、アセチルアセトナトであることを特徴とする上記[２]に記載のカイラルドーパント。
[５]前記一般式（２）において、遷移金属ＭがＦｅ、Ｃｏ、Ｎｉ、Ｒｕ、Ｒｈ、Ｐｄ、Ｏｓ、Ｉｒ及びＰｔからなる群より選ばれる１種以上であることを特徴とする上記[２]ないし[４]のいずれかに記載のカイラルドーパント。
【手続補正３】
【補正対象書類名】明細書
【補正対象項目名】００４２
【補正方法】変更
【補正の内容】
【００４２】
[１１]前記一般式（２）において、配位子Ｌ１とＬ２が、２，４−ペンタンジオン、アセチルアセトナト、ジメチルグリオキシム、ジメチルグリオキシマト（１−）イオン、ジメチルグリオキシマト（２−）イオン、シュウ酸、ピリジン、２，２’−ビピリジン、１，１０−フェナントロリン、１，２−プロパンジアミン、１，３−プロパンジアミン、ジエチレントリアミン、エチレンジアミン、エチレンジアミン四酢酸、エチレンジアミン四酢酸イオン、グリシナト、シアノ基含有化合物、チオシアナトＳ配位化合物、イソチオシアナトＮ配位化合物、エチレンジアミンテトラアセタト、マレオニトリルジチオラナト、ニトリロトリアセタナト、オキサラト、１，４，８，１１−テトラアザシクロテトラデカン、トリス（２−アミノエチル）アミン及びそれらの誘導体からなる群より選ばれる化合物であることを特徴とする上記[１０]に記載の液晶組成物。
【手続補正４】
【補正対象書類名】明細書
【補正対象項目名】００４３
【補正方法】変更
【補正の内容】
【００４３】
[１２]前記一般式（２）において、配位子Ｌ１とＬ２が、アセチルアセトナト（ａｃａｃ）であることを特徴とする上記[１０]に記載の液晶組成物。
[１３]前記一般式（２）において、遷移金属Ｍが、Ｆｅ、Ｃｏ、Ｎｉ、Ｒｕ、Ｒｈ、Ｐｄ、Ｏｓ、Ｉｒ及びＰｔからなる群より選ばれる１種以上であることを特徴とする上記[１０]ないし[１２]のいずれかに記載の液晶組成物。
[１４]前記一般式（２）において、遷移金属がＲｕまたはＯｓである上記[１０]ないし[１２]のいずれかに記載の液晶組成物。
【手続補正５】
【補正対象書類名】明細書
【補正対象項目名】００４４
【補正方法】変更
【補正の内容】
【００４４】
[１５]液晶物質が、ネマティックまたはスメクチック液晶を有する化合物であることを特徴とする上記[８]ないし[１４]のいずれかに記載の液晶組成物。
[１６]カイラルネマチック相を誘起することを特徴とする上記[７]ないし[１５]のいずれかに記載の液晶組成物。
[１７]カイラルスメクチックＣ相を誘起することを特徴とする上記[７]ないし[１５]のいずれかに記載の液晶組成物。
【手続補正６】
【補正対象書類名】明細書
【補正対象項目名】００４６
【補正方法】変更
【補正の内容】
【００４６】
[２１]上記[７]ないし[２０]のいずれかに記載の液晶組成物を使用してなる液晶素子。
[２２]上記[２１]に記載の液晶素子を使用してなる液晶表示素子。
[２３]上記[２１]に記載の液晶素子を使用してなるセンシング素子。
【手続補正７】
【補正対象書類名】明細書
【補正対象項目名】００４７
【補正方法】変更
【補正の内容】
【００４７】
[２４]上記[２１]に記載の液晶素子を使用してなる液晶シャッター。
[２５]上記[７]ないし[２０]のいずれかに記載の液晶組成物を使用してなることを特徴とする一次元周期フォトニック結晶。
[２６]らせんピッチが１μｍ以下である上記[２５]に記載の一次元周期フォトニック結晶。
[２７]上記[２５]または[２６]に記載の一次元周期フォトニック結晶を使用してなる低閾レーザー発振素子。
[２８]下記一般式（２）